(57)【特許請求の範囲】
【請求項１】
単一の受信回路しか有しておらず、受信周波数変更用ダイアルで設定された受信周波数の音声信号を復調・再生する第１のモードと、音声信号の復調・再生動作を停止させた状態で、所定周波数範囲について掃引を行って得られる各周波数での受信信号強度に基づいて、表示手段にスペクトラムスコープを表示させる第２のモードのいずれかを択一的に設定することが可能な無線受信装置において、
前記受信周波数変更用ダイアルの操作回転速度を検出する検出手段と、
前記検出手段が検出した操作回転速度が所定閾値以上か否かを判定する判定手段と、
前記判定手段が、前記操作回転速度について所定閾値以上と判定した場合には前記第２のモードを、所定閾値より小さいと判定した場合には前記第１のモードを、それぞれ自動的に設定するモード設定手段と
を具備したことを特徴とする無線受信装置。
【請求項２】
前記検出手段が前記受信周波数変更用ダイアルの回転操作を一定時間以上検出しない場合においても、前記モード設定手段が前記第２のモードを設定することとした請求項１に記載の無線受信装置。
【請求項３】
前記所定閾値は操作部からの入力操作により変更可能であることとした請求項１又は請求項２に記載の無線受信装置。
【発明の詳細な説明】
【技術分野】
【０００１】
本発明は無線受信装置に係り、受信周波数変更用ダイアルの操作状態に応じてスペクトラムスコープの表示更新動作と音声再生出力とを自動的に切替える制御に関する。
【背景技術】
【０００２】
最近の中級機種以上のトランシーバには、操作パネルの液晶表示部にスペクトラムスコープを表示させるものが多い。
このスペクトラムスコープは周波数スペクトラムを棒グラフ状に表示させて各周波数における信号強度を示すものであり、現在の運用周波数を中心とする上下のチャンネルの使用状況を確認して、空き周波数の探索やバンドコンディションの把握を目視的に行えるという利便性を有している。
【０００３】
このため、下記特許文献１から４のように、無線受信装置におけるスペクトラムスコープの改良や利用態様についての様々な提案がなされているが、スペクトラムスコープはフィルタを固定して周波数軸を掃引するスーパーヘテロダイン方式のスペクトラムナライザによるものであり、無線受信装置が単一受信回路の構成からなる場合にはその受信回路を利用するため、掃引中には音声信号の復調・再生を行えなくなる。
【０００４】
すなわち、実際の無線受信装置のスペクトラムスコープ機能では、予め周波数変更用ダイアルの操作又はテンキーからの入力によって掃引範囲の中心周波数を設定した後、前記ダイアルや所定ボタンの押すことによって掃引を実行させ、掃引によって得られた周波数スペクトラムをスペクトラムスコープ画面に表示させるが、前記のように掃引中には受信信号があっても音声信号の復調を行わず、スピーカから音声は出力されない。
また、スペクトラムスコープ機能の実行中に音声出力をさせる必要がある場合には、所定ボタンの操作で掃引動作を停止させて、音声信号の復調・再生を開始させるような方式が採用されている。
【先行技術文献】
【特許文献】
【０００５】
【特許文献１】特開平０６−２５２７８９号公報
【特許文献２】特開２００３−０１７９８６号公報
【特許文献３】特開２００８−１３１３２４号公報
【特許文献４】特開２０１０−０３４８９１号公報
【発明の概要】
【発明が解決しようとする課題】
【０００６】
このように、従来の無線受信装置では、同時に動作させることができないスペクトラムスコープ機能と音声信号の復調・再生とを手動操作によって選択的に動作させるようになっており、ユーザにとっては非常に煩わしい手間になっている。
そこで、本発明は、周波数変更用ダイアルの操作状態に応じてスペクトラムスコープの表示更新動作と音声信号の復調・再生動作の適応的切替えを自動的に行えるようにし、もって無線受信装置の操作性を向上させることを目的として創作された。
【課題を解決するための手段】
【０００７】
本発明は、単一の受信回路しか有しておらず、受信周波数変更用ダイアルで設定された受信周波数の音声信号を復調・再生する第１のモードと、音声信号の復調・再生動作を停止させた状態で、所定周波数範囲について掃引を行って得られる各周波数での受信信号強度に基づいて、表示手段にスペクトラムスコープを表示させる第２のモードのいずれかを択一的に設定することが可能な無線受信装置において、前記受信周波数変更用ダイアルの操作回転速度を検出する検出手段と、前記検出手段が検出した操作回転速度が所定閾値以上か否かを判定する判定手段と、前記判定手段が、前記操作回転速度について所定閾値以上と判定した場合には前記第２のモードを、所定閾値より小さいと判定した場合には前記第１のモードを、それぞれ自動的に設定するモード設定手段とを具備したことを特徴とする無線受信装置に係る。
【０００８】
本発明によれば、受信周波数変更用ダイアルの操作回転速度が所定閾値以上であるか否かによって、自動的に第１又は第２のモードを設定するようになっており、スイッチ操作によってモード設定を行っていた従来技術と比較して、操作の煩わしさがなくなる。
ところで、受信周波数変更用ダイアルの操作回転速度が大きくなると、受信周波数の遷移速度が大きくなり、復調・再生された音声が短く途切れて断続的に出力されるような状態となって、言葉として聴取できなくなるために音声を復調・再生させておく意義がなく、逆に、受信周波数に対してスペクトラムスコープの周波数範囲が早くずれてしまう傾向になるため、スペクトラムスコープの表示更新処理を頻繁に行うことが必要になる。
一方、受信周波数変更用ダイアルの操作回転速度が小さいと、受信周波数の遷移速度が小さいために、復調・再生された音声は言葉として比較的明瞭に聴取できるようになり、逆に、スペクトラムスコープの周波数範囲のずれは緩慢になることから、前記とは反対の関係となる。
したがって、判定手段による判定結果とそれに対応したモード設定手段によるモード設定には合理的な理由がある。
【０００９】
また、前記発明では、前記検出手段が前記受信周波数変更用ダイアルの回転操作を一定時間以上検出しない場合においても、前記モード設定手段が前記第２のモードを設定するようにしてもよい。
受信周波数変更用ダイアルの回転操作がない場合、第１のモードが継続的に設定されることになるが、従前に設定されていた第２のモードでのスペクトラムスコープの表示内容は時間の経過と共に変化している筈であり、一定時間以上経過したときに第２のモードを設定してスペクトラムスコープの表示更新処理を行うことは有意義である。
【００１０】
尚、前記所定閾値は操作部からの入力操作により変更可能であるようにしておけば、無線受信装置の運用条件に応じた最適な動作状態を実現し易くなる。
【発明の効果】
【００１１】
本発明の無線受信装置によれば、周波数変更用ダイアルの操作状態に応じてスペクトラムスコープの表示更新動作と音声信号の復調・再生の切替えが適応的に実行され、切替え操作の煩わしさをなくして操作性を向上させる。また、前記切替え条件として用いる単位時間当たりの操作量の閾値を自由に設定できるため、個別の無線受信装置の運用条件に適合させることも可能である。
【図面の簡単な説明】
【００１２】
【図１】本発明の実施形態に係るトランシーバの無線受信部（無線受信装置）のブロック回路図である。
【図２】無線受信装置におけるスペクトラムスコープの表示更新動作と音声再生出力の切替え手順を示すフローチャートである。
【発明を実施するための形態】
【００１３】
本発明の無線受信装置の実施形態について、図面を参照しながら詳細に説明する。
先ず、図１に示すトランシーバの無線受信部のブロック回路図において、11はアンテナ、12は強電界において電波を受信した場合に信号を適正な信号レベルに減衰させるアッテネータ、13は運用バンド全体が通過する程度のバンドパスフィルタ、14は周波数変換する前に10〜20dB程度の増幅を行う高周波増幅器、15,16は第１の周波数変換回路を構成するミキサと局部発振器、17は第１の周波数変換回路から得られる２つの信号から第１の中間周波数の信号だけを選別するルーフィングフィルタ、18はルーフィングフィルタ17で選別された信号を増幅する第１の中間周波増幅器、19はバンドパスフィルタ、20,21は第２の周波数変換回路を構成するミキサと局部発振器、22は第２の周波数変換回路から得られる信号を増幅する第２の中間周波増幅器、23は中間周波増幅器22が増幅した第２の中間周波信号から低周波側信号を抽出するバンドパスフィルタ、24は再生用の音声信号に復調する復調回路、24aはスピーカ、25はバンドパスフィルタ23の出力信号レベルを検出するレベル検出回路、26はバンドパスフィルタ23の出力信号を復調回路24又はレベル検出回路25へ出力させる切替回路、27はレベル検出回路25から得られる信号レベルに基づいてスペクトラムスコープ表示信号を生成させる表示制御部、28はスペクトラムスコープを表示させる液晶表示部、29はダイアルやボタン等を備えた操作部、30は前記受信回路全体を制御するシステム制御部を示す。
【００１４】
そして、操作部29の周波数変更用ダイアル29aにはロータリーエンコーダが設けられており、ダイアル29aの回転操作に伴ってロータリーエンコーダが発生させるパルス信号が周波数変更操作信号としてシステム制御30へ出力される。
また、システム制御30では、パルス信号をカウントすることによりダイアル29aの回転操作量を確認し、そのカウント値に対応させて局部発振器16を制御することにより、ダイアル29aの回転操作量に応じた受信周波数の変更が行われる。
【００１５】
ところで、システム制御部30は、前記のようなダイアル29aの回転操作に伴う受信周波数の変更プログラムを格納していると共に、スペクトラムスコープの表示更新処理と音声復調との切替え制御プログラムも格納しており、ダイアル29aの単位時間当たりの回転量（回転速度）に基づいてスペクトラムスコープの表示更新処理と音声復調の切替えを自動的に実行する。
【００１６】
以下、前記切替え制御プログラムによる無線受信装置の動作手順を、図２のフローチャートを用いて説明する。
先ず、図１に示される無線受信装置において、操作部29の周波数変更用ダイアル29aが操作されておらず、一定の受信周波数に設定された受信状態にある場合には、システム制御部30は、局部発振器16を一定の発振周波数に保つと共に、ルーフィングフィルタ17を自動設定又は手動設定のフィルタに、バンドパスフィルタ23を手動設定のフィルタにそれぞれ設定し、切替回路26の出力側を復調回路24への接続状態として、音声信号の復調を行ってスピーカ24aから受信音声を再生出力させる（S1）。
【００１７】
そして、その状態において、システム制御部30は周波数変更用ダイアル29aのロータリーエンコーダからの入力パルスが検出されるか否かを監視しており、周波数変更用ダイアル29aが操作されずに入力パルスが検出されないまま一定時間（例えば１０sec）が経過すると（S2,S3）、システム制御部30は、切替回路26の出力側をレベル検出回路25への接続状態に切り替えると共に、ルーフィングフィルタ17とバンドパスフィルタ23をスペクトラムスコープに最適なフィルタに切替え、受信周波数がスペクトラムスコープに必要な周波数範囲で掃引されるように局部発振器16の発振周波数を連続的に変化させる。
これにより、音声信号の復調・再生が停止すると共に、レベル検出回路25において掃引による各受信周波数での信号レベルが検出されて、表示制御部27によりスペクトラムスコープの表示更新処理がなされ、直近のスペクトラムスコープが液晶表示部28に表示される（S4,S5）。
【００１８】
一方、前記監視状態において、周波数変更用ダイアル29aが操作されてロータリーエンコーダからの入力パルスが検出されると、システム制御部30は周波数変更用ダイアル29aの回転速度に相当する単位時間当たりのパルス数をカウントする（S2,S6）。
そして、そのカウント値が所定の閾値以上であった場合には、前記の入力パルスが検出されないまま一定時間が経過した場合（S3,S4,S5）と同様に、切替回路26の接続状態の切り替え、ルーフィングフィルタ17とバンドパスフィルタ23の切替え、局部発振器16の制御による受信周波数の掃引を行って、音声信号の復調の停止とスペクトラムスコープの表示更新処理を行う（S7,S8,S9）。
【００１９】
周波数変更用ダイアル29aが早く回されて、短時間に受信周波数が大きく変化する場合には、音声が殆ど言葉として聴取できないことが多く、また、変更された受信周波数がスペクトラムスコープの中心周波数から外れてしまうため、より直近のスペクトラムスコープの表示が求められることから、この制御は合理性を有している。
なお、入力パルスのカウント値についての前記閾値は、周波数に換算して、例えば１００（Ｈz/sec）程度の値が想定される。
【００２０】
前記とは逆に、ロータリーエンコーダからの入力パルスが検出されたが、単位時間当たりのパルス数のカウント値が閾値より小さい場合には、音声信号の復調をそのまま継続し、スペクトラムスコープの表示更新処理は行わない（S2,S6,S7→S1）。
これは、周波数変更用ダイアル29aの回転速度が遅く、受信周波数の単位時間当たりの変化が小さい場合には、音声が比較的明瞭に聴取でき、スペクトラムスコープも更新しなくても殆ど支障がないからである。
【００２１】
また、前記閾値については、固定的とせずに、操作部29からユーザが自由に設定・変更できるようにしておけば、無線受信装置の運用条件に応じてより良好な操作性が得られる。
【産業上の利用可能性】
【００２２】
本発明は、単一受信回路からなり、スペクトラムスコープ表示機能を備えた無線受信装置に適用することができる。
【符号の説明】
【００２３】
11…アンテナ、12…アッテネータ、13…バンドパスフィルタ、14…高周波増幅器、15…ミキサ、16…局部発振器、17…ルーフィングフィルタ、18…中間周波増幅器、19…バンドパスフィルタ、20…ミキサ、21…局部発振器、22…中間周波増幅器、23…バンドパスフィルタ、24…復調回路、24a…スピーカ、25…レベル検出回路、26…切替回路、27…表示制御部、28…液晶表示部、29…操作部、29a…周波数変更用ダイアル、30…システム制御部。
【図１】
0005369220.tif 000002
【図２】
0005369220.tif 000003